(57)【要約】【課題】居室あるいは厨房室等の収納家具のＬ字形配列隅部に設置される隅用収納キャビネットの収納容積効率を向上させ、かつ収納作業性ならびに収納キャビネットの外観意匠性を向上させることを課題とするものである。【解決手段】平面断面が略Ｌ字形状をなし、この内隅部を主たる収納時使用面とする収納キャビネット１１の出隅側の面に、物品の出し入れ収納可能な副開口１５ａを備えた副収納区画部１５を設けたものであり、入隅側からは収納作業性に劣る出隅側の空間に対して、出隅側の面からの出し入れ収納を行う副開口１５ａを設けることにより、収納有効容積が各段に増大するとともに収納作業性を各段に向上させることができる。【選択図】図１
2005102974.tif 000002
【特許請求の範囲】
【請求項１】
平面視略Ｌ字形の収納キャビネットの入隅部に物品の収納を行う主開口を有し、出隅側の面に設けた一つ以上の副開口から物品の収納を行う副収納区画部を備えた隅用収納家具装置。
【請求項２】
副収納区画部を出隅頂点近傍に設けた請求項１に記載の隅用収納家具装置。
【請求項３】
収納キャビネット内に物品を収納する回転棚を設け、前記回転棚への物品の収納は主開口から可能とし、前記回転棚の外周と出隅側の面との間に形成した略三角柱状の副収納区画部を少なくとも１つ以上備えた請求項１もしくは２に記載の隅用収納家具装置。
【請求項４】
収納キャビネットの主開口から出隅側頂点に向けて斜めに格納空間を配設し、前記格納空間に出し入れ自在なワゴンを備え、前記格納空間外周と出隅側の面との間に略三角柱状の副収納区画部を少なくとも１つ以上備えた請求項１もしくは２に記載の隅用収納家具装置。
【請求項５】
副収納区画部の内外間で出し入れ自在になる可動式収納ラックもしくはワゴンを備えた請求項１から４のいずれかに記載の隅用収納家具装置。
【請求項６】
副収納区画部は、副開口に加え主開口から物品の収納が可能な請求項１から５のいずれか１項に記載の隅用収納家具装置。
【請求項７】
副収納区画部は、一面を開放面とした独立容器体とした請求項１から６のいずれか１項に記載の隅用収納家具装置。
【請求項８】
独立容器体は、天地反転位にて左右勝手を入れ替えて収納キャビネットに組立可能な請求項７に記載の隅用収納家具装置。
【請求項９】
請求項１から８のいずれか１項に記載の隅用収納家具装置の出隅側１面を壁面に当接して配置し、副開口を開放空間に向けて配置した隅用収納家具装置の配列方法。
【発明の詳細な説明】
【技術分野】
【０００１】
本発明は、住宅居室や厨房室等にあって、物品を出し入れ収納する家具・システムキッチン等の収納キャビネットとこの配列方法に関するものである。
【背景技術】
【０００２】
従来この種の収納の形態としては、収納家具・キッチンがＬ字形の配列をなす場合の隅部に、平面断面が略Ｌ字形をなす収納キャビネットを配し、この入隅部に出し入れ収納の開口面を設け、収納キャビネット内部に棚装置あるいは、収納キャビネット内外に移動自在なワゴン装置を備えていた（例えば、特許文献１参照）。
【０００３】
図８に示すように、収納キャビネット１は、平面がＬ字形状の入隅部を開口部２とし、前記開口部２の左右に隣接する収納キャビネットと接して側板３ａ・３ｂと、開口部２に対峙して背面側に後板４ａ・４ｂが９０度直交するようにして出隅部を形成して構成されている。一方、一体的にＬ字形に形成された扉体５を備えたワゴン６は、これに備えた物品載置棚６ａが前記扉体５の裏面から奥方の出隅頂点側へ延出し、奥行端が前記の直交した後板４ａ・４ｂに沿った形状に斜めに形成され、開口部２より出し入れ自在に移動可能としている。さらに、ワゴン６が格納状態にあって、該ワゴン６の両側には、収納キャビネット１の側板３ａ（３ｂ）と後板４ａ（４ｂ）とワゴン６の側方により挟まれる三角形空間に可動式収納棚７を設け、前記開口部２よりスライド自在に構成している。
【特許文献１】特開２００２−２８０３９号公報
【発明の開示】
【発明が解決しようとする課題】
【０００４】
しかしながら前記従来の収納装置では、Ｌ字形空間のほぼすべてを収納に使用可能ならしめる効果は有しているものの、出し入れ収納時の使用開口面がＬ字形平面の狭い入隅部のみに設けられており、幅の狭小なワゴンと、前記ワゴンを引き出した後に前記ワゴン両側に備えた可動式の収納棚装置を手前側に引き出す動作を必要とする複雑でコストの高い構成になっている。近年多く見られるシステムキッチンや収納家具の設置配列にあって、厨房・居室空間の一壁面に沿った範囲から空間中央部に向かって作業台や収納部が延出するＬ字形半島形の対面式配列に前記の隅用収納家具装置を用いた場合、Ｌ字形部での収納作業性は、入隅部からの出し入れ作業しか行えず、対面側から出し入れ収納が不可能であるため利便性に劣るものである。
【課題を解決するための手段】
【０００５】
前記従来の課題を解決するために、本発明の隅用収納家具装置は、平面視略Ｌ字形状をなし、この内隅部を主たる収納時の使用面とし、収納キャビネットの出隅側の面に、物品の収納が可能な副開口を備えた副収納区画部を設けたものである。
【発明の効果】
【０００６】
以上説明したように本発明によれば、単一の収納キャビネットで、入隅側の主開口から物品の収納を行う収納空間に加えて、入隅側からは収納作業性に劣る出隅側の空間に対して、出隅側の面からの出し入れ収納を行う副開口を設けることにより、収納有効容積が各段に増大するとともに収納作業性は各段に向上し、収納家具配列もコンパクトに構成できる効果がある、特に、出隅側の略直交する２面が居室壁面と開放空間側に面する隅用収納家具の配列にあってはより利便性が高まる収納家具配列となる。
【発明を実施するための最良の形態】
【０００７】
第１の発明は、平面視略Ｌ字形の収納キャビネットの入隅部に物品の収納を行う主開口を有し、出隅側の面に設けた一つ以上の副開口から物品の収納を行う副収納区画部を備えた隅用収納家具装置とするものである。
【０００８】
これにより、隅用収納家具装置の出隅側に収納出し入れの開口と収納空間を得ることができ、単一の隅用収納家具を用いて手前側としての入隅側と対面側の出隅側両方からの収納作業性を向上させることができる。
【０００９】
第２の発明は、特に、第１の発明の副収納区画部を出隅頂点近傍に設けた隅用収納家具装置とするものである。
【００１０】
これにより、入隅側の主開口から最も遠い位置に有る空間を収納空間として利用することができ、収納作業性、収納有効容積が格段に向上する。
【００１１】
第３の発明は、特に、第１および第２の発明の収納キャビネット内に物品を収納する回転棚を設け、前記回転棚への物品の収納は主開口から可能とし、前記回転棚の外周と出隅側の面との間に形成した略三角柱状の副収納区画部を少なくとも１つ以上備えた隅用収納家具装置とするものである。
【００１２】
これにより、前記回転棚に占める空間により生じる収納性に劣るデッドスペ−スを、副収納区画部として活用できるので、収納有効容積の高い隅用収納家具装置を提供できるものとなる。
【００１３】
第４の発明は、特に、第１および第２の発明の収納キャビネットの主開口から出隅側頂点に向けて斜めに格納空間を配設し、前記格納空間に出し入れ自在なワゴンを備え、前記格納空間外周と出隅側の面との間に略三角柱状の副収納区画部を少なくとも１つ以上備えた隅用収納家具装置とするものである。
【００１４】
これにより、前記ワゴン格納に占める空間により生じる収納性に劣るデッドスペ−スを、副収納区画部として活用できるので、収納有効容積の高い隅用収納家具装置を提供できるものとなる。
【００１５】
第５の発明は、特に、第１から第４のいずれか１つの発明の副収納区画部に、内外間で出し入れ自在になる可動式収納ラックもしくはワゴンを備えた隅用収納家具装置とするものである。
【００１６】
これにより、副収納区画部が出し入れ自在になる可動式の収納空間として提供され、収納作業性はさらに向上する。
【００１７】
第６の発明は、特に、第１から第５のいずれか１つの発明の副収納区画部を、副開口に加え主開口から物品の収納が可能な隅用収納家具装置とするものである。
【００１８】
これにより、主開口と副開口の間で収納物品の相互やり取りが可能となり、特に対面式の収納家具配列にあっては、収納作業性が優れたものとなる。
【００１９】
第７の発明は、特に、第１から第６のいずれか１つの発明の副収納区画部を、一面を開放面とした独立容器体とした隅用収納家具装置とするものである。
【００２０】
これにより、出隅側に複数の副収納区画部が備わる場合、構造が簡素な副収納区画部を提供可能であり、生産性に優れた収納キャビネットが構成できる。
【００２１】
第８の発明は、特に、第７の発明の独立容器体を、天地反転位にて左右勝手を入れ替えて収納キャビネットに組立可能な隅用収納家具装置とするものである。
【００２２】
これにより、複数の副収納区画部が、左右対象に配置される場合や、収納キャビネットの設置配列時に左右勝手の反転する収納キャビネットを提供する場合などに、構造が簡素な副収納区画部を提供可能であり、生産性に優れた収納キャビネットが構成できる。
【００２３】
第９の発明は、特に、第１〜１０の発明の隅用収納家具装置を、出隅側１面を壁面に接して配置し、副開口を出隅側の開放空間に向けて配置した隅用収納家具装置を用いた配列方法とするものである。
【００２４】
これにより、居室壁面から居室内中央部に向けて延出する概ねＬ字形の半島形の対面式収納家具の配列にあっては、このＬ字形隅部にて、主開口・副開口いずれからも収納利便性に優れた収納区画部を有した隅用収納家具装置を配することにより、空間活用性が各段に向上する。
【００２５】
以下、本発明の実施の形態について、図面を参照しながら説明する。なお、この実施の形態によって本発明が限定されるものではない。
【００２６】
（実施の形態１）
図１は、本発明の第１の実施の形態における収納家具装置を背面上方から見下ろした外観斜視図、図２は、同収納家具装置全体の平面図である。
【００２７】
図に示すように、収納キャビネット１１は、平面視Ｌ字形の直交端部に左右の側板１１ａ・ｂを配し、L字形の内側にあたる入隅側には前記側板１１ａ・ｂにそれぞれ手前側で直交して前幕板１１ｃ・ｄを相互に直交配置している。一方、Ｌ字形の外側にあたる出隅側には、後板１１ｅ・ｆを前記側板１１ａ・ｂの後方側で各々直交して配し、加えて収納キャビネット１１の略中央部に回転棚１２として、金属線材で略円盤状に組立形成された網棚１２ａが回転軸１２ｂを介して複数段設けられている。さらに前記の前幕板１１ｃ・ｄ下方に、Ｌ字形の主開口１３を設け前記回転棚１２に空間連通するとともに、この前面にＬ字形の扉１３ａが収納キャビネット側板１１ｂ側を支点として開閉自在に備えられている。また、前記幕板１１ｃの下方の収納キャビネット側板１１ａ寄りに、主開口１３に並列して主開口１４を設け、前記回転棚１２に隣接して、前記Ｌ字形の扉１３ａに並列した前板１４ａと複数段の収納かごを備えて引き出し自在になる可動式収納ラック１４ｂが設けられている。
【００２８】
一方、収納キャビネット１１のＬ字形の外側にあたる出隅側の一面には、出隅側頂点部を含み、副収納区画部１５・１６が回転棚１２の円周外と収納キャビネット後板１１ｆとの間の略三角柱立体を形成して２箇所設けられ、また収納キャビネット側板１１ｂ寄りには前記回転棚１２に隣接して、副収納区画部１７が設けられている。収納キャビネット後板１１ｆには、前記副収納区画部１５・１６・１７各々に相対して副開口１５ａ・１６ａ・１７ａが形成され、副開口１５ａ・１６ａに対しては、観音開きにて開閉自在な扉１５ｂ・１６ｂが各々設けられ、さらに副開口１７ａに対しては、前板１７ｂと複数段の収納かごを備えて引き出し自在になる可動式収納ラック１７ｃが設けられている。
【００２９】
副収納区画部１５は、概ね９０度円弧状の背面１８ａと一方の側面１８ｂと反対側側面１８ｃおよび天面１８ｄと底面１８ｅからなる平面視略三角形を有し、副開口１５ａを開放面とする独立容器体１８として樹脂成型により一体的に形成され収納キャビネット１１に組立されている。一方、副収納区画部１６は、間口寸法Ａが副収納区画部１５の間口寸法Ａと同一として、前記独立容器体１８を回転棚１２の回転軸芯１２ｂを中心に平面形状が左右対称反転して対向配置して組立構成している。また、副収納区画部１５（１６）の独立容器体１８は、複数段の棚受け１８ｆを樹脂成型で一体に形成し、該棚受け１８ｆに棚１５ｃを複数設けている。以上の構成になる収納キャビネット１１は、前記後板１１ｅを壁面１９に接して設置され、各側板１１ａ・ｂに隣接する他の収納キャビネット２０を含めて、壁面に沿った側から居室中央へＬ字形に延出する半島形の対面式収納家具配列を形成している。
【００３０】
また、副開口１５ａおよびこれを覆い副開口１６ａ寄りに延出する扉体１５ｂ、副開口１６ａおよびこの扉体１６ｂ、副収納区画部１７およびこの前板１７ｂは、それぞれの幅寸法Ａ、Ｄ、Ｆは、この隅用収納家具装置を配列設置している隣接収納キャビネットの幅モジュ−ル寸法と同一に設定している。
【００３１】
以上のように構成された隅用収納家具装置について、以下その動作、作用を説明する。
【００３２】
副収納区画部１５・１６・１７は、従来の隅用収納家具における入隅側の主開口１３、１４からでは、ほぼ手の届かない空間に、新たに副開口１５ａ・１６ａ・１７ａを設けることで有効な収納空間を提供しており、本実施の形態になる対面式収納家具配列にあっては、収納キャビネット１１の収納有効容積が格段に増加した効果を有する。また、副収納区画部１５・１６は、回転棚１２の回転軌跡範囲外の略三角柱立体空間に位置し、従来の隅用収納家具装置のデッドスペースを利用しており、この点においても、空間活用性は優れたものになる。さらに、主開口１４から引き出し自在な収納ラック１４ｂの奥行寸法Ｂを深くし、本実施の形態において生じる回転棚１２周囲のデッドスペ−スをより多く活用していると共に、副収納区画部１７に備えた可動式収納ラック１７ｃの奥行寸法Ｃは短く設定され、該可動式収納ラック１７ｃ後方すなわち主開口１３から回転棚１２へ手が入り易いようにこの部位の空間を広く設けて、作業性を高めている。
【００３３】
また本実施の形態では、２つの副収納区画部１５・１６が樹脂成型になる函状容器体１８の左右（天地）反転設置で簡便に構成され、加えて棚受け１８ｆも容器体１８に一体形成されており、収納キャビネット１１の組立生産性が格段に向上する。さらには、本実施の形態とは鏡面対象となる左右勝手違いの収納家具装置の配列にあって使用する収納キャビネット１１を製造するにあたっても、前記独立容器体１８を用いると、収納キャビネット１１は容易に構成可能であり好適である。
【００３４】
また、本実施の形態では、主開口１４から出し入れする可動式収納ラック１４ｂおよび副収納区画部１７に設けた可動式収納ラック１７ｃを備えており、物品の収納利便性は優れたものとなる。
【００３５】
さらに、本実施の形態では、収納キャビネット１１の可動式収納ラック１４ｂと１７ｃは各々間口寸法Ｄを等しくしており、収納ラックに関わる部品を共通にでき、さらには収納ラックの奥行もしくは引き出し代を等しくすれば、これに用いるスライドレールを共通にでき生産性が向上する。また、図２の左右反転勝手の収納キャビネット１１も、容易に構成可能であり好適である。
【００３６】
また、本実施の形態では、Ｌ字形平面のＥ寸法に示す範囲の収納キャビネット１１を一体的に構成したが、Ｄ寸法に示す部位とＥからＤを除いた部位をそれぞれ別体の収納キャビネットとして構成し、本実施の形態になるように組み合わせ連結設置してもよい。
【００３７】
さらに、副開口１５ａ、１６ａ、１７ａもしくは扉体１５ｂ、１６ｂ、１７ｂの幅寸法がモジュ−ル寸法に設定されているため、左右あるいは上下に隣接設置された他の収納キャビネットの外観と統一性が保たれ、デザイン性に優れたものとなる。
【００３８】
（実施の形態２）
図３は、本発明の第２の実施の形態になる収納家具装置の平面断面図である。
【００３９】
第１の実施の形態と異なる点は、収納キャビネットの出隅側の２面に、副開口を有した副収納区画部を設け、この面を開放空間に向けて収納キャビネットを設置していることにある。図に示すように、収納キャビネット２１の主開口１４の奥方には、副収納区画部２２を独立容器体１８で形成し、その副開口２２ａに扉体２２ｂを備えている。さらに前記副開口２２ａを設けた出隅側面には、前記扉体２２ｂに並列して、収納キャビネット後板２１ａを覆う化粧板２１ｂ、２１ｃを固定している。
【００４０】
なお、第１の実施の形態と同一符号のものは同一構造を有し、説明は省略する。
【００４１】
以上のように構成された隅用収納家具装置について、以下その動作、作用を説明する。
【００４２】
副収納区画部１５、１６および２２は、回転棚１２の外周の主開口１３、１４部を除く３箇所の略三角柱立体空間を全て活用しており、Ｌ字形平面のすべてを収納空間として用いており、容積効率は極めて高いものになっている。また、副収納区画部２２は、他の副収納区画部１５、１６と同じく独立容器体１８で正逆転配置により構成しており、生産性は極めて優れている。
【００４３】
なお、本実施の形態では、副収納区画部１５は図に示す左方へ副開口１５ａを向けた構成としたが、副開口１５ａを副開口２２ａと同じ向きに配置することも容易に可能であることは述べるまでもない。
【００４４】
（実施の形態３）
図４は、本発明の第３の実施の形態になる収納家具装置の平面断面図である。
【００４５】
第１あるいは第２の実施の形態と異なる点は、収納キャビネットの副収納区画部に対して主開口からも物品が出し入れ可能とした点、あるいは副開口から主開口を通して収納した物品を出し入れ可能な構造としたものである。
【００４６】
収納キャビネット２３は、実施の形態１あるいは２と異なる点として、入隅側の主開口１４より引き出し自在になる可動式収納ラック１４ｂの替わりに、この部位に複数段の棚１４ｃを設け、この手前に扉１４ｄが支点を側板２３ａに有して開閉自在に設けている。一方、出隅側の副収納区画部１７に設けた可動式収納ラック１７ｄは、実施の形態１における可動式収納ラック１７ｃと同じ奥行寸法Ｂを有した構成とし、該収納ラック１７ｄの後端は、格納状態にあって主開口１３のＬ字形扉１３ａに近接した位置にある。さらに、主開口１４の奥方には、前記棚１４ｃの前縁に近接して収納キャビネット後板２３ｂに副開口２４を備え、これに開閉自在な扉体２４ａを後板２３ｂに設けている。
【００４７】
なお、第１あるいは第２の実施の形態と同一符号のものは同一構造を有し、説明は省略する。
【００４８】
以上のように構成された隅用収納家具装置について、以下その動作、作用を説明する。
【００４９】
副収納区画部１７に設けた可動式収納ラック１７ｄの後端が、主開口１３のＬ字形扉１３ａに近接した位置にあることで、主開口１３から収納ラック１７ｄに物品を収納し、副開口１７ａから物品を出し入れすることが可能であり、本実施の形態になる対面式収納家具配列においては、さらに利便性が高まる。また、収納ラック１７ｄの奥行寸法Ｂを深くしたことにより、主開口１３のＬ字形扉１３ａ寄りからの回転棚１２への出し入れ作業空間が狭くなるので、代替として主開口１４の扉１４ｄを開閉扉とし、さらにこの奥は棚１４ｃとして、回転棚１２への物品の出し入れ作業空間を確保し、作業性が損なわれることを回避している。
【００５０】
また、副開口２４からも棚１４ｃの収納物品が出し入れ可能であり、棚１４ｃは主・副両開口からの収納が行え利便性は極めて高いものになる。さらに、前記副開口２４から回転棚１２の物品の出し入れ収納も可能であり、副開口から２４の収納性はより効率的なものとなる。
【００５１】
（実施の形態４）
図５は、本発明の第４の実施の形態における収納家具装置を背面上方から見下ろした外観斜視図、図６は、同収納家具装置の平面断面図である。
【００５２】
本実施の形態において、実施の形態１から３と異なる点は、回転棚の替わりに収納家具装置の主開口から出し入れ移動自在なワゴンを備えていることである。
【００５３】
収納キャビネット３１は、平面がＬ字形の直交端部に左右の側板３１ａ・ｂを配し、Ｌ字形の内側にあたる入隅側には前記側板３１ａ・ｂにそれぞれ手前側で直交して前幕板３１ｃ・ｄを相互に直交配置し、この下方に、Ｌ字形の主開口３２を設けている。一方、Ｌ字形の外側にあたる出隅側には、後板３１ｅ・ｆを前記側板３１ａ・ｂの後方側で各々直交して配し、後板３１ｅと壁面３３を接して収納キャビネット３１が設置固定されている。後板３１ｆには、該後板の概ね中央に設けた仕切り板３１ｇと後板３１ｅの間に副開口３４を設け、さらに後板３１ｅと仕切り板３１ｇを斜めに連結する仕切り板３１ｈおよび天板３１ｉと底板３１ｊと後板３１ｅにより形成される略三角柱立体の副収納区画部３５を形成し、この内部に複数段の棚３５ａおよび前記副開口３４の前面には扉３４ａが後板３１ｅに支点を有して開閉自在に備えてある。一方、後板３１ｆの側板３１ｂ寄りは、仕切り板３１ｋと３１ｌと側板３１ｂにより形成される略三角柱立体になる副収納区画部３６およびこの副開口３７を構成している。この空間には略三角形平面を持つ複数段の棚３６ａを有して、副開口３７の前面を覆う前板３７ａに一体的に固定構成され、さらには前記棚３６ａの最下段に複数個のキャスター３６ｂを設けて、キャビネット側板３１ｂに備えたスライドレール３６ｃにガイドされ副開口３７より直動往復引出し自在になるワゴン３８を設けている。また、側板３１ａと後板３１ｅを２辺にする略三角柱立体空間には複数段の棚３１ｍを備えている。これとは別に、主開口３２より出し入れ移動自在になるワゴン３９は、複数段の棚３９ａおよび主開口３２を略前面覆うＬ字形の前板３９ｂおよびハンドル３９ｃと複数個のキャスター３９ｄを有し、前記のキャビネット仕切り板３１ｈ、３１ｌおよび棚３１ｍの前縁により囲まれて形成されるキャビネット３１の平面断面を斜めに貫通する空間に格納される。
【００５４】
なお、実施の形態１あるいは２、３と同一符号のものは同一構造を有し、説明は省略する。
【００５５】
次に動作、作用を説明すると、収納キャビネット３１内の平面がＬ字形に形成される空間に、直線形状になるワゴン３９が入隅の主開口３２より斜めに格納されるために生じる３箇所の略三角柱立体空間は、内２箇所が出隅側からの副開口３４、３６および副収納区画部３５、３７によりデッドスペ−スになることなく、収納有効容積は増大し、収納出し入れ性も各段に向上する収納空間として構成される効果を有する。特に、副収納区画３７に備えた直動往復引き出し自在になるワゴン３８は、ワゴン３９と収納キャビネット側板３１ｂおよび後板３１ｆに挟まれる三角柱空間のほぼ全てが収納空間として活用可能で、特に三角形平面の鋭角先端部は、副開口３６から遠い位置にあるが故の収納作業性に劣ることを解消しており、本実施の形態になる対面式収納家具配列にあっては、対面側の収納有効容積が格段に増加し好適である。
【００５６】
また、副収納区画部３５の間口寸法Ｇは、実施の形態１に示す副収納区画部１５の間口寸法Ａと同様にモジュ−ル寸法に設定すれば、収納キャビネットのデザイン性が統一されて好適である。
【００５７】
（実施の形態５）
図７は、本発明の第５の実施の形態における収納家具装置の平面断面図、図８は、同収納家具装置の平面分解図である。
【００５８】
本実施の形態において、実施の形態４と異なる点は、主開口を備えた収納キャビネットと副収納区画部を備えたキャビネットに構成したユニット体を組み合わせ設置して、平面視略Ｌ字形の隅用収納家具装置を形成した点である。
【００５９】
収納キャビネット４１は、側板４１ａ、後板４１ｂ、棚４１ｃにより形成された平面視三角形の主開口３２を含む収納区画部として構成され、ユニット体４２は前板４２ａ、側板４２ｂ、後板４２ｃと棚４２ｄにより平面視三角形の副収納区画部３５を形成して、さらに同じくユニット体４３は、前板４３ａ、側板４３ｂ、後板４３ｃにより平面視三角形の副収納区画部３６を形成している。以上３つの別体の収納キャビネットは、各ユニット体の連結板４１ｄと４２ｅ、４２ｆと４３ｄ同志を接合し、さらに前幕板３１ｃ・ｄにて連結固定され、図７および８に示すア〜カ寸法に対応して配列設置している。
【００６０】
なお、第４の実施の形態と同一符号のものは同一構造を有し、説明は省略する。
【００６１】
以上のように構成された隅用収納家具装置について、以下その動作、作用を説明する。
【００６２】
収納キャビネット４１およびユニット体４２・４３により、平面視Ｌ字形の出隅側２面とＬ字の両端部が形成され、３つの収納キャビネットもしくはユニット体に囲まれた部分にワゴン３９の格納空間が形成される。副収納区画部３５・３６については、実施の形態４に示すものと同じ動作作用を有しており、説明は省略する。
【００６３】
これにより、実施の形態４に示す複雑な構造の大型キャビネットを形成することなく、収納キャビネットの生産性は向上し、加えて施工時等のキャビネット搬送入性が各段に向上する。さらに、図７に示す場合と左右勝手が反転する収納キャビネットを場合も、ユニット体の構造が簡素化されており、左右勝手が反転する構造体の製作は容易でありより好適である。
【産業上の利用可能性】
【００６４】
以上のように、本発明にかかる収納家具装置は、収納キャビネットのこの内隅部を主開口とする収納キャビネットの出隅側の面に、第２の物品の出し入れ収納可能な開口を備えた副収納区画部を設けたものであり、隅用収納キャビネット内の収納容積効率や作業性に劣る部位に対して、活用性の高い収納区画部を提供し、さらに該部位に可動式の収納容器体を設けるなどとしており、例えば、住宅建築躯体の間仕切り壁を用いた収納庫室等の用途にも適用できる。
【図面の簡単な説明】
【００６５】
【図１】本発明の実施の形態１における隅用収納家具装置の背面上方外観斜視図
【図２】同収納家具装置の平面断面図
【図３】本発明の実施の形態２における隅用収納家具装置の平面断面図
【図４】本発明の実施の形態３における隅用収納家具装置の平面断面図
【図５】本発明の実施の形態４における隅用収納家具装置の背面上方外観斜視図
【図６】同収納家具装置の平面断面図
【図７】本発明の実施の形態５における隅用収納家具装置の平面断面図
【図８】同収納家具装置の分解平面図
【図９】従来の隅用収納家具装置の要部外観図
【符号の説明】
【００６６】
１１、２１、２３、３１  収納キャビネット
１３、１４、３２  主開口
１５、１６、１７、２２、３５、３６  副収納区画部
１５ａ、１６ａ、１７ａ、２２ａ、２４、３４、３７  副開口
１７ｃ  可動式収納ラック
１８  独立容器体
１２  回転棚
３９  ワゴン
【図１】
2005102974.tif 000003
【図２】
2005102974.tif 000004
【図３】
2005102974.tif 000005
【図４】
2005102974.tif 000006
【図５】
2005102974.tif 000007
【図６】
2005102974.tif 000008
【図７】
2005102974.tif 000009
【図８】
2005102974.tif 000010
【図９】
2005102974.tif 000011